(57)【要約】【課題】監視制御経路設定方法及びノード装置に関し、ネットワークを監視制御するための監視制御経路をノード装置間に自動的に設定し、また、監視制御経路に障害が発生した場合に、自動的に新たな監視制御経路を設定可能にする。【解決手段】既に監視制御経路が設定されたノード装置Ｎｔからその下位側に接続されたノード装置Ｎｎに対して、複数のインタフェース盤の未使用の帯域のチャネルを用い、監視制御情報（Ｃｔｒｌ）を送出する。ノード装置Ｎｎは、複数のインタフェース盤の中から１つのインタフェース盤における監視制御情報の受信チャネルを監視制御経路として設定する。監視制御経路の設定完了後、監視制御経路として設定したインタフェース盤以外のインタフェース盤から、監視制御情報の送出を停止させる指令をノード装置Ｎｔに対して送出する。該指令を受信したノード装置Ｎｔのインタフェース盤は、監視制御情報の送出を停止する。【選択図】図１
2010166220.tif 000002
【特許請求の範囲】
【請求項１】
複数のノード装置を接続して構成されるネットワークを、上位のノード装置に接続された中央監視制御装置から監視制御するための監視制御経路を設定する監視制御経路設定方法において、
既に監視制御経路が設定された第１のノード装置から、該第１のノード装置の下位側に接続された第２のノード装置に対して、該第２のノード装置と接続される複数のインタフェース盤の未使用の帯域のチャネルを用いて監視制御情報を送出するステップと、
前記監視制御情報が受信される前記第２のノード装置の複数のインタフェース盤の中から、１つのインタフェース盤における監視制御情報の受信チャネルを、当該第２のノード装置への監視制御経路として設定するステップと、
前記監視制御経路の設定が完了した後、前記監視制御経路として設定したチャネルのインタフェース盤以外のインタフェース盤から、前記監視制御情報の送出を停止させる指令を前記第１のノード装置に対して送出するステップと、
前記指令を受信した前記第１のノード装置で、該指令を受信したインタフェース盤から送出している前記監視制御情報の送出を停止するステップと、
を含むことを特徴とする監視制御経路設定方法。
【請求項２】
前記第１のノード装置から前記第２のノード装置に対して設定された監視制御経路のチャネルで送出される監視制御情報を前記第２のノード装置で監視し、該監視制御情報が受信されたインタフェース盤から、前記第１のノード装置に対して、監視制御経路として選択されていることを示す選択信号を送出するステップと、
前記第２のノード装置で前記監視制御情報の受信断を検出したとき、前記選択信号の送出を停止すると共に、前記第２のノード装置に実装されている各インタフェース盤の通信帯域をスキャンするステップと、
前記第１のノード装置で前記選択信号の受信断を検出したとき、前記第２のノード装置に接続された全てのインタフェース盤の未使用の帯域のチャネルを用いて監視制御情報を送出するステップと、
前記第２のノード装置で前記監視制御情報が検出されたチャネルを前記監視制御経路として設定するステップと、
を含むことを特徴とする請求項１に記載の監視制御経路設定方法。
【請求項３】
前記監視制御情報が検出されない場合に、前記監視制御情報の送出を要求する監視制御情報リクエスト信号を、前記監視制御経路のチャネルが設定されたインタフェース盤以外のインタフェース盤を通して前記第１のノード装置へ送出するステップと、
前記監視制御情報リクエスト信号を受信した前記第１のノード装置で、該視制御情報リクエスト信号を受信した各インタフェース盤を通して、未使用の帯域のチャネルを用いて前記監視制御情報を送出するステップと、
を含むことを特徴とする請求項２に記載の監視制御経路設定方法。
【請求項４】
他のノード装置と接続されネットワークを構成するノード装置において、
下位側に接続されたノード装置に対して、該下位側のノード装置と接続された複数のインタフェース盤の未使用帯域のチャネルを用いて監視制御情報を送出する監視制御情報送出手段と、
前記監視制御情報が受信される複数のインタフェース盤の中から、１つのインタフェース盤で受信された監視制御情報の受信チャネルを監視制御経路として設定する監視制御経路設定手段と、
前記監視制御経路として設定したチャネルのインタフェース盤以外のインタフェース盤から、前記監視制御情報の送出を停止させる指令を送出する停止指令送出手段と、
前記指令を受信したとき、該指令を受信したインタフェース盤から送出している前記監視制御情報の送出を停止する監視制御情報送出停止手段と、
を備えたことを特徴とするノード装置。
【請求項５】
上位側のノード装置から監視制御経路のチャネルで送出される監視制御情報を監視し、該監視制御情報が受信されたインタフェース盤から、前記上位のノード装置に対して、監視制御経路として選択されていることを示す選択信号を送出する選択信号送出手段と、
前記監視制御情報の受信断を検出したとき、前記選択信号の送出を停止すると共に、自ノード装置に実装されている各インタフェース盤の通信帯域をスキャンする手段と、
前記選択信号の受信断を検出したとき、下位側のノード装置に接続された全てのインタフェース盤の未使用の帯域のチャネルを用いて監視制御情報を送出する手段と、
前記監視制御情報が検出されたチャネルを前記監視制御経路として設定する手段と、
を備えたことを特徴とする請求項１に記載のノード装置。
【請求項６】
前記監視制御情報が検出されない場合に、前記監視制御情報の送出を要求する監視制御情報リクエスト信号を、前記監視制御経路のチャネルが設定されたインタフェース盤以外のインタフェース盤を通して前記上位側のノード装置へ送出する手段と、
前記監視制御情報リクエスト信号を受信した各インタフェース盤を通して、未使用の帯域のチャネルを用いて前記監視制御情報を送出する手段と、
を備えたことを特徴とする請求項５に記載のノード装置。
【発明の詳細な説明】
【技術分野】
【０００１】
本発明は、監視制御経路設定方法及びノード装置に関し、特に、複数のノード装置を接続して構成されるネットワークを、上位のノード装置に接続された中央監視制御装置から監視制御するための監視制御経路を設定するための監視制御経路設定方法及びノード装置に関する。
【背景技術】
【０００２】
従来、複数ノード装置から成るネットワークを上位のノード装置に接続された中央監視制御装置から一元的に監視制御する場合、各ノード装置に対して監視制御経路として使用するチャネルの帯域及びインタフェース盤をそれぞれ設定し、かつ、対向先のノード装置においても監視制御経路として使用する帯域及びインタフェース盤をそれぞれ確保して対向元と整合するよう設定を行っていた。
【０００３】
ネットワークにおけるパス経路状態監視に関しては、例えば下記の特許文献１等によって知られている。
【先行技術文献】
【特許文献】
【０００４】
【特許文献１】特開２００６−２２２７１８号公報
【発明の概要】
【発明が解決しようとする課題】
【０００５】
従来の監視制御経路の設定方法では、新規ノード装置の設置時に、設置現場で監視制御経路の設定作業が必要であり、また、予め監視制御経路に使用する通信帯域を新規ノード装置のインタフェース盤上に設定し、また、該新規ノード装置が接続されるネットワーク上のノード装置のインタフェース盤上にも設定しておく必要があった。
【０００６】
本発明は、上位のノード装置に接続された中央監視制御装置からネットワークを監視制御するための監視制御経路をノード装置間に自動的に設定し、また、監視制御経路に障害が発生した場合に、自動的に新たな監視制御経路を設定可能にすることを目的とする。
【課題を解決するための手段】
【０００７】
本発明の監視制御経路設定方法は、複数のノード装置を接続して構成されるネットワークを、上位のノード装置に接続された中央監視制御装置から監視制御するための監視制御経路を設定する監視制御経路設定方法において、既に監視制御経路が設定された第１のノード装置から、該第１のノード装置の下位側に接続された第２のノード装置に対して、該第２のノード装置と接続される複数のインタフェース盤の未使用の帯域のチャネルを用いて監視制御情報を送出するステップと、前記監視制御情報が受信される前記第２のノード装置の複数のインタフェース盤の中から、１つのインタフェース盤における監視制御情報の受信チャネルを、当該第２のノード装置への監視制御経路として設定するステップと、前記監視制御経路の設定が完了した後、前記監視制御経路として設定したチャネルのインタフェース盤以外のインタフェース盤から、前記監視制御情報の送出を停止させる指令を前記第１のノード装置に対して送出するステップと、前記指令を受信した前記第１のノード装置で、該指令を受信したインタフェース盤から送出している前記監視制御情報の送出を停止するステップと、を含むものである。
【０００８】
また、本発明のノード装置は、他のノード装置と接続されネットワークを構成するノード装置において、下位側に接続されたノード装置に対して、該下位側のノード装置と接続された複数のインタフェース盤の未使用帯域のチャネルを用いて監視制御情報を送出する監視制御情報送出手段と、前記監視制御情報が受信される複数のインタフェース盤の中から、１つのインタフェース盤で受信された監視制御情報の受信チャネルを監視制御経路として設定する監視制御経路設定手段と、前記監視制御経路として設定したチャネルのインタフェース盤以外のインタフェース盤から、前記監視制御情報の送出を停止させる指令を送出する停止指令送出手段と、前記指令を受信したとき、該指令を受信したインタフェース盤から送出している前記監視制御情報の送出を停止する監視制御情報送出停手段と、を備えたものである。
【発明の効果】
【０００９】
本発明によれば、新規ノード装置の設置時等に、該ノード装置に対して設置現場での設定作業を行うことなく、中央監視装置から該ノード装置への監視制御経路を、未使用の通信帯域のチャネルを用いて自動的に設定することが可能となる。また、監視制御経路に障害が発生したときに、自動的に別経路を監視制御経路として設定することができ、ネットワークの監視制御における保守性・操作性を効率化することができる。
【図面の簡単な説明】
【００１０】
【図１】本発明による監視制御経路設定の第１の実施形態を示す図である。
【図２】本発明による監視制御経路設定の第２の実施形態を示す図である。
【図３】本発明による監視制御経路設定の第３の実施形態を示す図である。
【図４】本発明による監視制御経路設定の第３の実施形態を示す図である。
【図５】本発明によるノード装置の構成例を示す図である。
【発明を実施するための形態】
【００１１】
図１は本発明による監視制御経路設定の第１の実施形態を示す。同図に示すように、複数のノード装置を接続して構成されるネットワーク１−１において、上位のノード装置に接続された中央監視制御装置Ｃａから、ネットワーク１−１上の各ノード装置を監視制御するための監視制御経路が既に構築されているものとする。
【００１２】
ネットワーク１−１上の全てのノード装置に対して監視制御が可能な状態において、該ネットワーク１−１上のノード装置Ｎｔに新規ノード装置Ｎｎを接続して新規に設置する場合、中央監視制御装置Ｃａは、新規ノード装置Ｎｎと直接インタフェース盤Ｉｔで接続されるノード装置Ｎｔに対して、該インタフェース盤Ｉｔの通信帯域の中の任意の未使用帯域のチャネルに監視制御情報（Ｃｔｒｌ）を設定して新規ノード装置Ｎｎに送出する。
【００１３】
新規ノード装置Ｎｎは、初期立ち上げ時に、自ノード装置内に実装される全てのインタフェース盤の通信帯域のスキャンを行い、監視制御情報（Ｃｔｒｌ）の検出を実施する。新規ノード装置Ｎｎは、監視制御情報（Ｃｔｒｌ）を検出した場合、該監視制御情報（Ｃｔｒｌ）が検出された帯域のチャネルを監視制御経路として認識し、自ノード装置Ｎｎ内の監視制御盤（ＭＰＵ）に設定する。
【００１４】
ノード装置Ｎｎ内の監視制御盤（ＭＰＵ）は、設定された監視制御経路のチャネルの帯域を、自ノード装置Ｎｎ内の不揮発性メモリＭｎに保存し、該チャネルの帯域を監視制御経路として次回の立ち上げ時に使用する。
【００１５】
新規ノード装置Ｎｎで監視制御情報（Ｃｔｒｌ）を検出することができない場合は、一定時間毎に全てのインタフェース盤で通信帯域の再スキャンを実施する。また、不揮発性メモリＭｎに監視制御経路の設定情報が保存された状態で立ち上がった場合で、該設定情報の帯域で監視制御情報（Ｃｔｒｌ）を検出することができないときは、初期立ち上げ時のモードに移行し、全てのインタフェース盤で通信帯域のスキャンを実施する。以上の動作より、新規ノード装置Ｎｎの立ち上げ時に、中央監視制御装置Ｃａから遠隔で監視制御経路を確立することができる。
【００１６】
図２に本発明による監視制御経路設定の第２の実施形態を示す。この実施形態は自動的に監視制御経路を確立する実施形態である。監視制御経路上の最上位となる中央監視制御装置Ｃａに直接接続されたノード装置Ｎａは、自ノード装置に実装された全インタフェース盤Ｉａ１，Ｉａ２，Ｉａ３で未使用の帯域のチャネルを用いて監視制御情報（Ｃｔｒｌ）を送出する。
【００１７】
各ノード装置Ｎｎは、立ち上げ時に自ノード装置に実装された各インタフェース盤Ｉｎ１，Ｉｎ２，Ｉｎ３の通信帯域のスキャンを行い、監視制御情報（Ｃｔｒｌ）の検出を実施する。各ノード装置Ｎｎは、監視制御情報（Ｃｔｒｌ）を検出した場合、その帯域を監視制御経路のチャネルと認識し、自ノード装置Ｎｎ内の監視制御盤（ＭＰＵ）に該帯域のチャネルを監視制御経路として設定する。
【００１８】
自ノード装置Ｎｎ内の複数のインタフェース盤Ｉｎ１，Ｉｎ２，Ｉｎ３から監視制御情報（Ｃｔｒｌ）を検出した場合、任意の１つのインタフェース盤の帯域のみを監視制御経路のチャネルとして選択し、該帯域のチャネルを自ノード装置Ｎｎ内の監視制御盤（ＭＰＵ）に設定する。
【００１９】
また、監視制御盤（ＭＰＵ）は、監視制御経路として選択したインタフェース盤（例えばＩｎ１）以外のインタフェース盤（例えばＩｎ２，Ｉｎ３）から監視制御情報（Ｃｔｒｌ）が検出された場合、該インタフェース盤（例えばＩｎ２，Ｉｎ３）に、監視制御情報（Ｃｔｒｌ）の送出を解除させる解除命令（Ｅｘｔ）を送出させる。
【００２０】
中央監視制御装置Ｃａとの監視制御経路が確立されたノード装置Ｎｎでは、監視制御経路が設定されたインタフェース盤（例えばＩｎ１）及び上記解除命令（Ｅｘｔ）を送出したインタフェース盤（例えばＩｎ２，Ｉｎ３）以外のインタフェース盤（図示省略）から、自ノード装置Ｎｎより下位のノード装置（図示省略）に対して、未使用帯域のチャネルを用いて監視制御情報（Ｃｔｒｌ）を送出し、同様に監視制御経路の構築を実施する。
【００２１】
また、監視制御情報（Ｃｔｒｌ）を送出しているインタフェース盤（例えばＩａ２，Ｉａ３）から解除命令（Ｅｘｔ）を受信したノード装置Ｎａは、そのインタフェース盤（例えばＩａ２，Ｉａ３）と接続されているノード装置Ｎｎは、他経路により監視制御経路が確立されていると認識し、そのインタフェース盤（例えばＩａ２，Ｉａ３）からの監視制御情報（Ｃｔｒｌ）の送出を停止する。以上の動作により、自動的に複数のスタンドアローンのノード装置の集合体によるネットワークの監視制御経路を確立することができる。
【００２２】
次に図３及び図４に本発明による監視制御経路設定の第３の実施形態を示す。上述の図２に示した第２の実施形態と同様に、新規ノード装置Ｎｎは、監視制御経路として１つのインタフェース盤（例えばＩｎ１）を選択し、該選択したインタフェース盤（例えばＩｎ１）に対して、監視制御経路として選択したことを示す選択信号（Ｓｅｌ）を上位側のノード装置Ｎｔに送出する（図３参照）。
【００２３】
上位側のノード装置Ｎｔは、監視制御経路以外のインタフェース盤（例えばＩｔ２，Ｉｔ３）からの監視制御情報（Ｃｔｒｌ）の送出を停止すると共に、下位側のノード装置Ｎｎから選択信号（Ｓｅｌ）が受信されるインタフェース盤（例えばＩｔ１）にのみ対して監視制御情報（Ｃｔｒｌ）を送出し続ける（図３参照）。
【００２４】
監視制御経路となっているインタフェース盤（例えばＩｔ１，１ｎ１）を含む伝送経路に障害が発生した場合、下位側のノード装置Ｎｎでは、上位側のノード装置Ｎｔからの監視制御情報（Ｃｔｒｌ）が検出されなくなる。すると、下位側のノード装置Ｎｎは、上位側のノード装置Ｎｔへの選択信号（Ｓｅｌ）の送出を停止する（図４参照）。
【００２５】
上位側のノード装置Ｎｔは、下位側のノード装置Ｎｎからの選択信号（Ｓｅｌ）の送出が停止され、選択信号（Ｓｅｌ）が受信されなくなると、下位側のノード装置Ｎｎに接続されるインタフェース盤（Ｉｔ１〜Ｉｔ３）の全てから未使用の帯域のチャネルを用いて監視制御情報（Ｃｔｒｌ）を送出する。
【００２６】
下位側のノード装置Ｎｎは、監視制御盤（ＭＰＵ）に設定された監視制御経路からの監視制御情報（Ｃｔｒｌ）の受信断を検出した場合、自ノード装置Ｎｎに実装された全インタフェース盤で通信帯域の再スキャンを行い、監視制御情報（Ｃｔｒｌ）の検出を実施する。再スキャンの結果、監視制御情報（Ｃｔｒｌ）を検出した場合、その検出された帯域のチャネルを監視制御経路として再設定する。
【００２７】
下位側のノード装置Ｎｎでは、再スキャンを行っても監視制御情報（Ｃｔｒｌ）を検出することができない場合、監視制御情報リクエスト信号（Ｒｅｑ）を、自ノード装置Ｎｎが監視制御情報（Ｃｔｒｌ）の送出を行っているインタフェース盤以外のインタフェース盤に対して送出する（図４参照）。
【００２８】
上位側ノード装置Ｎｔは、下位ノード装置Ｎｎへの監視制御経路で監視制御情報（Ｃｔｒｌ）の送出を行っているインタフェース盤で選択信号（Ｓｅｌ）の監視を行い、該選択信号（Ｓｅｌ）の受信中、監視制御情報（Ｃｔｒｌ）を送出し続ける。選択信号（Ｓｅｌ）の受信断を検出した場合、他のインタフェース盤に対して監視制御情報（Ｃｔｒｌ）の送出を行う。
【００２９】
また、下位側のノード装置Ｎｎに接続された各インタフェース盤で監視制御情報リクエスト信号（Ｒｅｑ）を検出した場合、該監視制御情報リクエスト信号（Ｒｅｑ）が検出されたインタフェース盤に対して監視制御情報（Ｃｔｒｌ）の送出を行う（図４参照）。
【００３０】
下位側のノード装置Ｎｎでは、前述の図２に示した第２の実施形態と同様に、監視制御情報（Ｃｔｒｌ）が検出された帯域のチャネルを監視制御経路として設定する。以上の動作より、監視制御経路に伝送障害が発生したときにも、自動的に別経路を監視制御経路として確立することができる。
【００３１】
なお、上位側のノード装置では、監視制御情報（Ｃｔｒｌ）の送出開始後、一定時間経過した後も、選択信号（Ｓｅｌ）又は監視制御情報リクエスト信号（Ｒｅｑ）が受信されなかった場合、監視制御情報（Ｃｔｒｌ）の送出を停止する。この場合、当該下位ノード装置への監視制御経路が確立されないこととなり、その旨を表す警報信号を中央監視制御装置Ｃａに送信する。
【００３２】
図５に本発明によるノード装置の構成例を示す。同図に示すように、他のノード装置と接続されるインタフェース盤５−１内に、他のノード装置からの通信帯域の信号を受信する受信部５−２と、他のノード装置への通信帯域の信号を送信する送信部５−３とを備える。
【００３３】
また、受信部５−２で受信される前述の監視制御情報（Ｃｔｒｌ）を検出する監視制御情報（Ｃｔｒｌ）検出部５−４、選択信号（Ｓｅｌ）を検出する選択信号（Ｓｅｌ）検出部５−５、解除命令（Ｅｘｔ）を検出する解除命令（Ｅｘｔ）検出部５−６、及び監視制御情報リクエスト信号（Ｒｅｑ）を検出する監視制御情報リクエスト信号（Ｒｅｑ）検出部５−７を備える。
【００３４】
監視制御情報（Ｃｔｒｌ）検出部５−４で監視制御情報（Ｃｔｒｌ）を検出した場合、該検出出力を選択部５−８に出力し、該選択部５−８は、監視制御情報（Ｃｔｒｌ）が検出されたインタフェース盤の帯域を監視制御経路のチャネルとして選択し、該選択されたインタフェース盤の選択信号（Ｓｅｌ）送信部５−１０に対して、選択信号（Ｓｅｌ）を送信させる。
【００３５】
また、該選択部５−８は、監視制御情報（Ｃｔｒｌ）が検出されないインタフェース盤の解除命令（Ｅｘｔ）送信部５−１１に対して、解除命令（Ｅｘｔ）を送信させる。また、監視制御情報（Ｃｔｒｌ）検出部５−４で監視制御情報（Ｃｔｒｌ）の受信断を検出した場合、監視制御情報リクエスト信号（Ｒｅｑ）送信部５−１２にたいして監視制御情報リクエスト信号（Ｒｅｑ）を送信させる。
【００３６】
また、解除命令（Ｅｘｔ）検出部５−６で解除命令（Ｅｘｔ）が検出された場合、監視制御情報（Ｃｔｒｌ）送信部５−９に対して、監視制御情報（Ｃｔｒｌ）の送信を停止させる。また、監視制御情報リクエスト信号（Ｒｅｑ）検出部５−７で監視制御情報リクエスト信号（Ｒｅｑ）が検出された場合、監視制御情報（ＣＴＲＬ）送信部５−９に対して、監視制御情報（ＣＴＲＬ）を送信させる。
【００３７】
監視制御情報（ＣＴＲＬ）送信部５−９、選択信号（Ｓｅｌ）送信部５−１０、解除命令（Ｅｘｔ）送信部５−１１、及び監視制御情報リクエスト信号（Ｒｅｑ）送信部５−１２の出力信号は、それぞれ、インタフェース盤５−１内の送信部５−３から対向するノード装置に対して送信される。
【符号の説明】
【００３８】
１−１  ネットワーク
Ｃａ  中央監視制御装置
Ｎｔ，Ｎｎ，Ｎａ  ノード装置
Ｉｔ，Ｉｎ，Ｉａ  インタフェース盤
ＭＰＵ  監視制御盤
Ｍｎ  不揮発性メモリ
【図１】
2010166220.tif 000003
【図２】
2010166220.tif 000004
【図３】
2010166220.tif 000005
【図４】
2010166220.tif 000006
【図５】
2010166220.tif 000007